(57)【要約】【課題】周波数帯域の利用効率を向上させること。【解決手段】端末装置は、ライセンスバンドとアンライセンスバンドとを含む複数の周波数帯域のうち１つ以上を使用して基地局装置と通信する通信部と、自装置の通信速度に基づいて、前記通信部にアンライセンスバンドを使用せずに基地局装置と通信させるか否かを制御する。【選択図】図２
2018098541.tif 000002
【特許請求の範囲】
【請求項１】
ライセンスバンドとアンライセンスバンドとを含む複数の周波数帯域のうち１つ以上を使用して基地局装置と通信する通信部と、
自装置の通信速度に基づいて、前記通信部に前記アンライセンスバンドを使用せずに前記基地局装置と通信させるか否かを制御する制御部と、
を備える端末装置。
【請求項２】
通信に関する設定情報を記憶する記憶部をさらに備え、
前記制御部は、
前記設定情報と前記自装置の通信速度との比較結果に基づいて、前記通信部に前記アンライセンスバンドを使用せずに前記基地局装置と通信させるか否かを制御する
請求項１に記載の端末装置。
【請求項３】
前記制御部は、
前記自装置の通信速度が低速であることを示す前記比較結果に基づいて、前記通信部に前記アンライセンスバンドを使用して前記基地局装置と通信させる
請求項２に記載の端末装置。
【請求項４】
前記制御部は、
前記自装置の通信速度が高速であることを示す前記比較結果に基づいて、前記通信部に前記アンライセンスバンドを使用せずに前記基地局装置と通信させる
請求項２または請求項３に記載の端末装置。
【請求項５】
前記通信部が前記アンライセンスバンドを使用して通信を行っている場合に、
前記制御部は、
前記自装置の通信速度が高速であることを示す前記比較結果に基づいて、前記通信部に前記アンライセンスバンドを使用した通信を切断させ、その後に前記ライセンスバンドを使用して前記基地局装置と通信させる
請求項４に記載の端末装置。
【請求項６】
前記制御部は、
前記自装置の通信速度が低速であることを示す前記比較結果に基づいて、前記通信部に前記ライセンスバンドを前記アンライセンスバンドより優先的に使用して前記基地局装置と通信させる
請求項２に記載の端末装置。
【請求項７】
ライセンスバンドとアンライセンスバンドとを含む複数の周波数帯域のうち１つ以上を使用して端末装置と通信する通信部と、
制御部とを備え、
前記制御部は、
前記端末装置との通信の速度に基づいて、前記端末装置が前記ライセンスバンドを前記アンライセンスバンドより優先的に使用して通信を行うように制御するための制御情報を生成し、
前記通信部を介して前記制御情報を前記端末装置に送信する
基地局装置。
【請求項８】
ライセンスバンドとアンライセンスバンドとを含む複数の周波数帯域のうち１つ以上を使用して基地局装置と通信する第１の過程と、
端末装置の通信速度に基づいて、前記第１の過程に前記アンライセンスバンドを使用せずに前記基地局装置と通信させるか否かを制御する第２の過程と、
を有する
通信制御方法。
【請求項９】
端末装置のコンピュータに、 
ライセンスバンドとアンライセンスバンドとを含む複数の周波数帯域のうち１つ以上を使用して基地局装置と通信する第１の手順と、
端末装置の通信速度に基づいて、前記第１の手順に前記アンライセンスバンドを使用せずに前記基地局装置と通信させるか否かを制御する第２の手順と、
を実行させる
プログラム。
【発明の詳細な説明】
【技術分野】
【０００１】
本発明の一態様は、端末装置、基地局装置、通信制御方法、及びプログラムに関する。
【背景技術】
【０００２】
第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）において、アンライセンスバンド（ｕｎｌｉｃｅｎｓｅｄ  ｂａｎｄ）を使用した通信が検討されている。アンライセンスバンドとは、各国の通信事業免許に基づく専用周波数帯域ではない周波数帯域のことである。
また、３ＧＰＰにおいて、ＬＡＡ（Ｌｉｃｅｎｓｅ  Ａｓｓｉｓｔｅｄ  Ａｃｃｅｓｓ  ｕｓｉｎｇ  ＬＴＥ）が検討されている。ＬＡＡは、ライセンスバンド（Ｌｉｃｅｎｓｅｄ  Ｂａｎｄ）を使用する通信エリアをプライマリセル（Ｐｒｉｍａｒｙ  Ｃｅｌｌ；ＰＣＥＬＬ、以下、Ｐセル）、アンライセンスバンドを使用する通信エリアをセカンダリ・サービング・セル（Ｓｅｃｏｎｄａｒｙ  Ｓｅｒｖｉｎｇ  Ｃｅｌｌ；ＳＣＥＬＬ、以下、Ｓセル）としてキャリアアグリゲーション（ＣＡ：Ｃａｒｒｉｅｒ  Ａｇｇｒｅｇａｔｉｏｎ）して通信するＬＴＥ（Ｌｏｎｇ  Ｔｅｒｍ  Ｅｖｏｌｕｔｉｏｎ）（登録商標）の拡張技術である。
【０００３】
例えば、非特許文献１は、端末装置がＣＡの能力を持っている場合に、基地局装置が端末装置にＣＡを使用した通信の開始を要求するものである。
【先行技術文献】
【非特許文献】
【０００４】
【非特許文献１】３ＧＰＰ  ＴＳ３６．３０６，Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌｔｅｒｒｅｓｔｒｉａｌ  Ｒａｄｉｏ  Ａｃｃｅｓｓ（Ｅ−ＵＴＲＡ）；Ｕｓｅｒ  Ｅｑｕｉｐｍｅｎｔ（ＵＥ）  ｒａｄｉｏ  ａｃｃｅｓｓ  ｃａｐａｂｉｌｉｔｉｅｓ，３ｒｄ  Ｇｅｎｅｒａｔｉｏｎ  Ｐａｒｔｎｅｒｓｈｉｐ  Ｐｒｏｊｅｃｔ，２０１１年６月２４日，Ｖ１０．２．０）
【発明の概要】
【発明が解決しようとする課題】
【０００５】
しかしながら、非特許文献１に記載の技術を用いても、端末装置が必要とする通信速度がライセンスバンドのみで賄える場合であっても、ＬＡＡが動作することによりアンライセンスバンドを圧迫し、周波数利用効率を低下させてしまうという課題があった。
【０００６】
本発明の一態様は、上記の点に鑑みてなされたものであり、周波数利用効率を向上させることができる端末装置、基地局装置、通信制御方法、及びプログラムを提供することを目的とする。
【課題を解決するための手段】
【０００７】
（１）本発明の一態様は上記の課題を解決するためになされたものであり、ライセンスバンドとアンライセンスバンドとを含む複数の周波数帯域のうち１つ以上を使用して基地局装置と通信する通信部と、自装置の通信速度に基づいて、前記通信部に前記アンライセンスバンドを使用せずに前記基地局装置と通信させるか否かを制御する制御部と、を備える端末装置である。
【０００８】
（２）また、本発明の一態様は、ライセンスバンドとアンライセンスバンドとを含む複数の周波数帯域のうち１つ以上を使用して端末装置と通信を行う通信部と、制御部とを備え、前記制御部は、前記端末装置との通信の速度に基づいて、前記端末装置が前記ライセンスバンドを前記アンライセンスバンドより優先的に使用して通信を行うように制御するための制御情報を生成し、前記通信部を介して前記制御情報を前記端末装置に送信する基地局装置である。
【０００９】
（３）また、本発明の一態様は、ライセンスバンドとアンライセンスバンドとを含む複数の周波数帯域のうち１つ以上を使用して基地局装置と通信する第１の過程と、端末装置の通信速度に基づいて、前記第１の過程に前記アンライセンスバンドを使用せずに前記基地局装置と通信させるか否かを制御する第２の過程と、を有する通信制御方法である。
【００１０】
（４）また、本発明の一態様は、端末装置のコンピュータに、ライセンスバンドとアンライセンスバンドとを含む複数の周波数帯域のうち１つ以上を使用して基地局装置と通信する第１の手順と、端末装置の通信速度に基づいて、前記第１の手順に前記アンライセンスバンドを使用せずに前記基地局装置と通信させるか否かを制御する第２の手順と、を実行させるプログラムである。
【発明の効果】
【００１１】
本発明の一態様によれば、周波数利用効率を向上させることができる。
【図面の簡単な説明】
【００１２】
【図１】本発明の第１の実施形態に係る通信システムの一例を示す概略図である。
【図２】本実施形態に係る第１の端末装置のソフトウェア構成の一例を示す概略ブロック図である。
【図３】本実施形態に係る基地局装置の構成の一例を示す概略ブロック図である。
【図４】本実施形態に係る第１の端末装置の設定画面の一例を示す図である。
【図５】本実施形態に係る第１の端末装置の通信速度の取得処理の一例を示すフローチャートである。
【図６】本実施形態に係る高速通信時の通信制御処理の一例を示すフローチャートである。
【図７】本実施形態に係る第１の端末装置のハードウェア構成の一例を示す概略ブロック図である。
【図８】本発明の第２の実施形態に係る第１の端末装置の構成の一例を示す概略ブロック図である。
【図９】本実施形態に係る高速通信時の通信制御処理の一例を示すフローチャートである。
【図１０】本発明の第３の実施形態に係る第１の端末装置の構成の一例を示す概略ブロック図である。
【図１１】本実施形態に係る第１の端末装置の設定画面の一例を示す図である。
【図１２】本実施形態に係る低速通信時の通信制御処理の一例を示すフローチャートである。
【図１３】本発明の第４の実施形態に係る高速通信時、及び低速通信時の通信制御処理の一例を示すフローチャートである。
【図１４】本発明の第５の実施形態に係る第１の端末装置の構成の一例を示す概略ブロック図である。
【図１５】本実施形態に係る第１の基地局装置の構成の一例を示す概略ブロック図である。
【図１６】本実施形態に係る周波数帯域の割り当て処理の一例を示すフローチャートである。
【発明を実施するための形態】
【００１３】
（第１の実施形態）
以下、図面を参照しながら本発明の実施形態について詳しく説明する。
図１は、本発明の通信システムの一例を示す概略図である。通信システム１００は、第１の端末装置１と、第２の端末装置２と、第１の基地局装置３−１、３−２、３−３と、第２の基地局装置４−１、４−２と、無線アクセスポイント５と、を含んで構成される。
以下では、第１の基地局装置３−１、３−２、３−３をまとめて単に第１の基地局装置３と称することがある。第２の基地局装置４−１、４−２をまとめて単に第２の基地局装置４と称することがある。
【００１４】
第１の端末装置１は、例えばＬＴＥ（Ｌｏｎｇ  Ｔｅｒｍ  Ｅｖｏｌｕｔｉｏｎ）（登録商標）通信を行う端末装置であり、ＬＡＡ（Ｌｉｃｅｎｓｅ  Ａｓｓｉｓｔｅｄ  Ａｃｃｅｓｓ  ｕｓｉｎｇ  ＬＴＥ）機能を使用した通信（ＬＡＡ通信）にも対応可能である。第１の端末装置１は、例えば、スマートフォン、タブレット端末、またはパーソナルコンピュータなどの電子機器である。
第２の端末装置２は、無線通信可能な端末装置である。第２の端末装置２は、例えば、無線ローカルエリアネットワーク（ＬＡＮ：Ｌｏｃａｌ  Ａｒｅａ  Ｎｅｔｗｏｒｋ）に対応した電子機器である。
【００１５】
ＬＡＡ通信は、ライセンスバンドと、アンライセンスバンドとでキャリアアグリゲーション（ＣＡ：Ｃａｒｒｉｅｒ  Ａｇｇｒｅｇａｔｉｏｎ）を使用する通信である。このとき、ＬＡＡ通信では、ライセンスバンドを使用する通信を維持しつつ、アンライセンスバンドを使用する通信も可能な場合に、アンライセンスバンドも使用する。
ＣＡは、同時に複数の周波数帯域を使用し通信する技術である。ここで、複数の周波数帯域は、コンポーネントキャリア（ＣＣ：Ｃｏｍｐｏｎｅｎｔ  Ｃａｒｒｉｅｒ）とも呼ばれる。
【００１６】
通信システム１００において、第１の基地局装置３は、セルＣ１−１を形成する。また、第２の基地局装置４は、セルＣ１−２を形成する。第１の端末装置１は、例えば、セルＣ１−１をプライマリセル（Ｐｒｉｍａｒｙ  Ｃｅｌｌ；ＰＣＥＬＬ、以下、Ｐセル）、セルＣ１−２をセカンダリ・サービング・セル（Ｓｅｃｏｎｄａｒｙ  Ｓｅｒｖｉｎｇ  Ｃｅｌｌ；ＳＣＥＬＬ、以下、Ｓセル）として、ＣＡを行う。
無線アクセスポイント５は、セルＣ２を使用した無線通信によって、第２の端末装置２と通信する。無線アクセスポイント５は、例えば、無線ルータの機能を有する。なお、無線アクセスポイント５と第２の端末装置２とは、アンライセンスバンドを利用して通信する。
ここで、セルＣ１−２が用いる周波数帯域と、セルＣ２が用いる周波数帯域には、共通の周波数帯域（例えば、５ＧＨｚ帯）が含まれる。
ここで、第１の端末装置１は、セルＣ１−２およびセルＣ１−１内に在圏していると仮定する。
第１の基地局装置３は、第１の端末装置１との間で制御情報とユーザデータとを送受信する。第２の基地局装置４は、第１の端末装置１との間で主にユーザデータを送受信する。
このように、通信システム１００においてＬＡＡ通信を使用する場合、第１の端末装置１は、セルＣ１−１との通信にライセンスバンドを使用し、セルＣ１−２との通信にアンライセンスバンドを使用する。また、ＬＡＡ通信を使用しない場合、第１の端末装置１は、セルＣ１−１との通信にライセンスバンドを使用する。
なお、図１では、セルＣ１−２、セルＣ１−１を、それぞれ１つしか記載していないが、第１の基地局装置３の通信可能なエリアにおいて、ＣＡ可能な複数のセルＣ１−２、セルＣ１−１が存在し、第１の端末装置１が通信可能であるものとして説明する。
【００１７】
本実施形態においては、第１の端末装置１が、ＬＡＡ通信を下りリンクに使用するものとして説明する。なお、第１の端末装置１は、ＬＡＡ通信を上りリンクに使用してもよいし、ＬＡＡ通信を上りリンクと下りリンクとの両方に使用してもよい。
また、ＬＡＡ通信で用いられるアンライセンスバンドは、例えば無線ＬＡＮと同様の５ＧＨｚ帯であるものとして説明する。
【００１８】
図２は、本発明の第１の端末装置１の構成の一例を示す概略ブロック図である。
第１の端末装置１は、通信部１１と、制御部１２と、記憶部１３と、表示部１４と、操作入力部１５と、を含んで構成される。
【００１９】
通信部１１は、第１処理部１１１と、第１ＲＦ部１１２と、第２処理部１１３と、第２ＲＦ部１１４と、を備える。
通信部１１は、複数の周波数帯域のうちの１つ以上を使用して第１の基地局装置３と第２の基地局装置４と通信接続する。この複数の周波数帯域にはライセンスバンドとアンライセンスバンドとが少なくとも含まれる。
【００２０】
第１処理部１１１は、第１ＲＦ部１１２及びアンテナＡＮ１を介して、第１の基地局装置３と各種データを通信する。第１処理部１１１は、ライセンスバンドを使用しＬＴＥ通信する。ここで、各種データとは、例えば、制御情報とユーザデータとである。
第１処理部１１１は、制御部１２から入力された各種データを変調し、ベースバンド信号を生成する。第１処理部１１１は、生成したベースバンド信号を、アナログ信号に変換し、第１ＲＦ部１１２に出力する。また、第１処理部１１１は、第１ＲＦ部１１２から入力されたアナログ信号を、ベースバンド信号に変換する。第１処理部１１１は、変換して得られたベースバンド信号を復調し、各種データを生成する。第１処理部１１１は、生成した各種データを、制御部１２に出力する。
第１ＲＦ部１１２は、第１処理部１１１から入力されたアナログ信号を、高周波数信号に変換し、アンテナＡＮ１を介して送信する。また、第１ＲＦ部１１２は、アンテナＡＮ１を介して受信した高周波数信号を、アナログ信号に変換して第１処理部１１１に出力する。
【００２１】
第２処理部１１３は、第２ＲＦ部１１４及びアンテナＡＮ２を介して、第２の基地局装置４と各種データを通信する。第２処理部１１３は、アンライセンスバンドを用いてＬＴＥ通信する。
第２処理部１１３は、制御部１２から入力された各種データを変調し、ベースバンド信号を生成する。第２処理部１１３は、生成したベースバンド信号を、アナログ信号に変換して第２ＲＦ部１１４に出力する。また、第２処理部１１３は、第２ＲＦ部１１４から入力されたアナログ信号を、ベースバンド信号に変換する。第２処理部１１３は、変換して得られたベースバンド信号を復調し、各種データを生成する。第２処理部１１３は、生成した各種データを、制御部１２に出力する。
第２ＲＦ部１１４は、第２処理部１１３から入力されたアナログ信号を、高周波数信号に変換し、アンテナＡＮ２を介して送信する。また、第２ＲＦ部１１４は、アンテナＡＮ２を介して受信した高周波数信号を、アナログ信号に変換して第２処理部１１３に出力する。
【００２２】
制御部１２は、通信情報取得部１２１と、速度取得部１２２と、タイマ制御部１２３と、速度判定処理部１２４と、状態管理部１２５と、電源制御部１２６と、を含んで構成される。
制御部１２は、通信情報取得部１２１と、速度取得部１２２と、タイマ制御部１２３と、速度判定処理部１２４と、状態管理部１２５と、電源制御部１２６と、を制御する。
【００２３】
通信情報取得部１２１は、通信に関する情報（通信に関する設定情報）を取得する。具体的には、通信情報取得部１２１は、記憶部１３から閾値情報を取得する。通信情報取得部１２１は、取得した閾値情報を、速度判定処理部１２４に出力する。
速度取得部１２２は、所定周期毎に第１の端末装置１の通信速度を取得し、取得した通信速度を速度判定処理部１２４に出力する。速度取得部１２２は、タイマ制御部１２３から入力されたタイマ信号により、通信速度を取得するための所定の周期を把握する。
タイマ制御部１２３は、第１の端末装置１が通信を開始すると同時に、計時を開始する。タイマ制御部１２３は、所定の周期毎に、タイマ信号を、速度取得部１２２に出力する。ここで、タイマ信号は、時刻を示す情報である。
速度判定処理部１２４は、閾値情報を通信情報取得部１２１から取得し、第１の端末装置１の通信速度を速度取得部１２２から取得する。速度判定処理部１２４は、取得した閾値情報と通信速度とに基づいて、通信速度が閾値以上であるか否かを判定する。速度判定処理部１２４は、判定結果を状態管理部１２５に出力する。
状態管理部１２５は、設定判定処理部１２５１と、機能判定処理部１２５２と、を含んで構成される。
【００２４】
設定判定処理部１２５１は、速度判定処理部１２４から取得した判定結果に対応するＬＡＡ設定情報を、記憶部１３から取得する。ここで、ＬＡＡ設定情報は、ＬＡＡ機能を有効にするか否かを示す情報である。設定判定処理部１２５１は、機能判定処理部１２５２からＬＡＡ機能情報を取得する。ここで、ＬＡＡ機能情報は、ＬＡＡ機能が現在有効であるか否かを示す情報である。
設定判定処理部１２５１は、取得したＬＡＡ設定情報とＬＡＡ機能情報とに基づいて、ＬＡＡ機能を有効にするか否かを判定する。設定判定処理部１２５１は、判定結果に基づいてＬＡＡ機能を有効にするか否かを示す信号を電源制御部１２６に出力する。
機能判定処理部１２５２は、ＬＡＡ機能情報を生成し、設定判定処理部１２５１に出力する。
状態管理部１２５は、ＬＡＡ設定情報とＬＡＡ機能情報と閾値情報とに基づき、ＬＡＡ設定情報とＬＡＡ機能情報と閾値情報を示す画像を表示部１４に表示させる。
状態管理部１２５は、操作入力部１５から入力された操作信号に基づいて閾値情報及びＬＡＡ設定情報を生成し、記憶部１３に記憶させる。
【００２５】
電源制御部１２６は、設定判定処理部１２５１から入力された判定結果に基づいて、第２処理部１１３及び第２ＲＦ部１１４への電力供給を制御する。
【００２６】
記憶部１３は、閾値情報を閾値情報テーブルとして記憶し、ＬＡＡ設定情報をＬＡＡ設定情報テーブルとして記憶する。
ここで、閾値情報テーブルは、通信速度の判断基準に対応する閾値情報を含む。また、ＬＡＡ設定情報テーブルは、通信速度状態に対応するＬＡＡ設定情報を含む。
なお、記憶部１３は、ＲＡＭ（Ｒａｎｄｏｍ  Ａｃｃｅｓｓ  Ｍｅｍｏｒｙ）などの一時記憶装置でもよい。また、記憶部１３は、フラッシュメモリやハードディスクなどのストレージでもよいし、ＲＯＭ（Ｒｅａｄ  Ｏｎｌｙ  Ｍｅｍｏｒｙ）でもよい。例えば、記憶部１３は、操作入力部１５から、または外部サーバ装置などの他の装置から入力された、通信に関する情報（通信に関する設定情報）を記憶してもよい。
【００２７】
表示部１４は、各種情報を表示する。表示部１４は、例えば、液晶ディスプレイ、または有機エレクトロルミネッセンス（ＥＬ；Ｅｌｅｃｔｒｏｌｕｍｉｎｅｓｃｅｎｃｅ）ディスプレイである。
【００２８】
操作入力部１５は、例えば、タッチパネル、操作ボタン、またはキーボードである。
操作入力部１５は、第１の端末装置１のユーザからの各種操作を受け付ける。各種操作には、例えば、ＬＡＡ機能の設定、高速通信時にＬＡＡ機能を有効にするか否かの設定、高速通信判断基準の閾値の設定なども含まれる。操作入力部１５は、受け付けた操作に応じた操作信号を状態管理部１２５に出力する。
【００２９】
図３は、本実施形態に係る第１の基地局装置３及び第２の基地局装置４の構成の一例を示す概略ブロック図である。第１の基地局装置３と第２の基地局装置４との構成は同様であるため、ここでは、第１の基地局装置３について説明し、第２の基地局装置４の説明を省略する。
第１の基地局装置３は、通信部３１と、制御部３２と、を含んで構成される。通信部３１は、送信部３１１と、受信部３１２と、を含んで構成される。
通信部３１は、第１の端末装置１と複数の周波数帯域のうちの１つ以上を用いて通信接続する。ここで、複数の周波数帯域には、少なくともライセンスバンドとアンライセンスバンドとが含まれる。例えば、第１の基地局装置３の通信部３１は、ライセンスバンドを用いて第１の端末装置１と通信する。また、第２の基地局装置４の通信部３１は、アンライセンスバンドを用いて、第１の端末装置１と通信する。
【００３０】
図４は、第１の端末装置１にユーザが各種情報を設定するための設定画面の一例を示す図である。ここで、各種情報とは、例えば、ＬＡＡ機能を有効にするか否かの選択、ＬＡＡ設定情報、閾値情報などのことである。
設定画面例Ｇ２０−１、Ｇ２０−２、Ｇ２０−３、Ｇ２０−４、Ｇ２０−５は、それぞれ表示部１４に表示される設定画面例を示す。
【００３１】
設定画面例Ｇ２０−１は、ＬＡＡ機能が無効である状態を示す画面例である。設定画面例Ｇ２０−２は、ＬＡＡ機能が有効である状態を示す画面例である。ボタンｂ２１は、ＬＡＡ機能情報を切り替えるためのボタンである。
ＬＡＡ機能が有効である状態では、設定画面例Ｇ２０−２にボタンｂ２２、フォームｆ２３、ボタンｂ２４が表示される。これらにより、ＬＡＡ機能が有効であるときにユーザによる各種設定を受け付けることができる。
ボタンｂ２２は、ＬＡＡ機能が有効であるときに高速通信時のＬＡＡ設定情報を切り替えるためのボタンである。フォームｆ２３は、ＬＡＡ機能が有効であるときに高速通信判断基準の閾値を設定するためのフォームを表す。ボタンｂ２４は、ＬＡＡ機能が有効であるときに上記の各種設定に応じて操作信号を状態管理部１２５に出力することで、各種設定を有効にするためのボタンである。ここで、各種設定は、状態管理部１２５が記憶部１３のＬＡＡ設定情報テーブルのＬＡＡ設定情報と、閾値情報テーブルの閾値情報と、を更新することで有効になる。
設定画面例Ｇ２０−２では、高速通信時のＬＡＡ機能が無効であり、高速通信判断基準の閾値が毎秒０メガ・ビット以上という設定がされている。設定画面例Ｇ２０−３は、高速通信時のＬＡＡ機能が無効であり、高速通信判断基準の閾値として毎秒１０メガ・ビット以上という設定がされている。
設定画面例Ｇ２０−４は、ボタンｂ２４が押下された場合の設定画面例を示す。設定画面例Ｇ２０−４では、各種設定が有効になったことを示すアラートｐ２５が表示される。
アラートｐ２５は、第１の端末装置１のユーザが操作入力部１５から任意の操作を入力すると消える。設定画面例Ｇ２０−５は、設定画面例Ｇ２０−４において、第１の端末装置１のユーザが操作入力部１５から任意の操作を入力した画面の例を示している。
このように、制御部１２は、表示部１４に設定画面例として表示させ、該設定画面例における各ボタン、各フォームに対するユーザの操作、設定を操作入力部１５によって受け付け、該操作、設定に応じた信号に応じて各種情報を生成、更新して記憶部１３に記憶させる。
【００３２】
図５は、本実施形態に係る第１の端末装置１の通信速度の取得処理の一例を示すフローチャートである。本フローチャートで示す処理は、第１の端末装置１が通信を開始した場合に実行される。
【００３３】
（ステップＳ１００）  速度取得部１２２は、第１の端末装置１の通信速度として、第１の端末装置１が通信部１１を介して受信したパケット量の測定を開始する。
タイマ制御部１２３は、第１の端末装置１が通信を開始すると同時に、計時を開始する。
なお、速度取得部１２２は、第１の端末装置１が通信部１１を通じて送信したパケット量を測定してもよい。また、速度取得部１２２は、第１の端末装置１が通信部１１を通じて受信したパケット量と、送信したパケット量との両方の測定をしてもよい。
【００３４】
（ステップＳ１０１）  タイマ制御部１２３は、速度取得部１２２に、所定の周期毎にタイマ信号を出力する。ここで、所定の周期は、例えば、０．１秒である。速度取得部１２２は、タイマ制御部１２３から入力されたタイマ信号に基づいて、算出周期が経過したか否かを判定する。ここで、算出周期とは通信速度を取得するための周期のことである。算出周期は、例えば、１秒である。
速度取得部１２２は、算出周期が経過したと判定した場合（ＹＥＳ）、ステップＳ１０２の処理をする。一方、算出周期が経過していないと判定した場合（ＮＯ）、速度取得部１２２は、ステップＳ１０１の処理を繰り返す。
【００３５】
（ステップＳ１０２）  速度取得部１２２は、第１の端末装置１の通信速度を算出する。ここで、速度取得部１２２は、速度取得部１２２が算出周期の間に測定したパケット量を、算出周期の値で除算することで通信速度を算出する。これにより、速度取得部１２２は、第１の端末装置１の通信速度を取得する。
【００３６】
（ステップＳ１０３）  ステップＳ１０２の処理の後に速度取得部１２２は、算出した通信速度を速度判定処理部１２４に出力する。
【００３７】
（ステップＳ１０４）  ステップＳ１０４に処理の後に状態管理部１２５は、第１の端末装置１が通信中であるか否かを判定する。ここで、状態管理部１２５は、速度取得部１２２が算出周期の間に測定したパケット量がゼロでない場合、第１の端末装置１が通信中であると判定する。また、状態管理部１２５は、速度取得部１２２が算出周期の間に測定したパケット量がゼロである場合、第１の端末装置１が通信中でないと判定する。状態管理部１２５は、第１の端末装置１が通信中であると判定した場合（ＹＥＳ）、ステップＳ１００の処理を再度実行する。一方、第１の端末装置１が通信中でないと判定した場合（ＮＯ）、状態管理部１２５は、処理を終了する。
【００３８】
図６は、本実施形態に係る高速通信時の通信制御処理の一例を示すフローチャートである。本フローチャートで示す処理は、第１の端末装置１が通信を開始した場合に実行される。なお、本実施形態では、ＬＡＡ機能が有効であるか無効であるかに関わらず、第１の端末装置１がライセンスバンドを用いて通信する場合について説明する。
【００３９】
（ステップＳ２００）  速度判定処理部１２４は、速度取得部１２２から入力された通信速度と、通信情報取得部１２１が記憶部１３の閾値情報テーブルから取得した高速通信判断基準に対応する閾値情報とを比較し、通信速度が閾値以上（通信速度が高速）であるか否かを判定する。
速度判定処理部１２４は、通信速度が閾値以上であると判定した場合（ＹＥＳ）、状態管理部１２５に高速通信であることを示す判定結果を出力し、ステップＳ２０１の処理を実行する。一方、速度判定処理部１２４は、通信速度が閾値以上でないと判定した場合（ＮＯ）、状態管理部１２５に高速通信でないことを示す判定結果を出力し、処理を終了する。
【００４０】
（ステップＳ２０１）  設定判定処理部１２５１は、記憶部１３のＬＡＡ設定情報テーブルから取得した高速通信時に対応するＬＡＡ設定情報に基づいて、高速通信時にＬＡＡ機能を有効にするか否かを判定する。具体的には、設定判定処理部１２５１は、高速通信時にＬＡＡ機能を有効にしないことを示すＬＡＡ設定情報である場合（ＹＥＳ）、ステップＳ２０２の処理を実行する。一方、設定判定処理部１２５１は、高速通信時にＬＡＡ機能を有効にすることを示すＬＡＡ設定情報である場合（ＮＯ）、ステップＳ２０４の処理を実行する。
【００４１】
（ステップＳ２０２）  設定判定処理部１２５１は、機能判定処理部１２５２にＬＡＡ機能情報を要求し、機能判定処理部１２５２からＬＡＡ機能情報を取得する。
設定判定処理部１２５１は、取得したＬＡＡ機能情報に基づいてＬＡＡ機能が現在有効であるか否かを判定する。具体的には、設定判定処理部１２５１は、ＬＡＡ機能が現在有効であることを示すＬＡＡ機能情報である場合（ＹＥＳ）、ステップＳ２０３の処理を実行する。一方、設定判定処理部１２５１は、ＬＡＡ機能が現在有効でないことを示すＬＡＡ機能情報である場合（ＮＯ）、処理を終了する。
【００４２】
（ステップＳ２０３）  設定判定処理部１２５１は、電源制御部１２６に、ＬＡＡ機能を無効にすることを示す信号を出力する。電源制御部１２６は、ＬＡＡ機能を無効にすることを示す信号が入力されると、第２処理部１１３及び第２ＲＦ部１１４への電力供給を停止する。これにより、電源制御部１２６は、アンライセンスバンドを使用した通信を無効にする。その後、電源制御部１２６は、処理を終了する。
【００４３】
（ステップＳ２０４）  設定判定処理部１２５１は、機能判定処理部１２５２に、ＬＡＡ機能情報を要求し、機能判定処理部１２５２からＬＡＡ機能情報を取得する。
設定判定処理部１２５１は、取得したＬＡＡ機能情報に基づいてＬＡＡ機能が現在無効であるか否かを判定する。具体的には、設定判定処理部１２５１は、ＬＡＡ機能が現在無効であることを示すＬＡＡ機能情報である場合（ＹＥＳ）、ステップＳ２０５の処理を実行する。一方、設定判定処理部１２５１は、ＬＡＡ機能が現在無効でないことを示すＬＡＡ機能情報である場合（ＮＯ）、処理を終了する。
【００４４】
（ステップＳ２０５）  設定判定処理部１２５１は、電源制御部１２６に、ＬＡＡ機能を有効にすることを示す信号を出力する。電源制御部１２６は、ＬＡＡ機能を有効にすることを示す信号が入力されると、第２処理部１１３及び第２ＲＦ部１１４への電力供給を開始する。これにより、電源制御部１２６は、アンライセンスバンドを使用した通信を有効にする。その後、電源制御部１２６は、処理を終了する。
【００４５】
図７は、本実施形態に係る第１の端末装置１のハードウェア構成の一例を示す概略ブロック図である。
第１の端末装置１は、ＣＰＵ（Ｃｅｎｔｒａｌ  Ｐｒｏｃｅｓｓｉｎｇ  Ｕｎｉｔ）１０１と、記憶部１０２と、通信インターフェース部１０３と、入力部１０４と、表示部１０５と、を含んで構成される。ＣＰＵ１０１と、記憶部１０２と、通信インターフェース部１０３と、入力部１０４と、表示部１０５と、は、各々バスを介して接続されている。
ＣＰＵ１０１は、第１の端末装置１全体を制御する。記憶部１０２は、ＲＡＭ、ＲＯＭ等で構成され、ＣＰＵ１０１が実行する各種プログラムや各種データを記憶する。通信インターフェース部１０３は、有線または無線による通信を行うためのインターフェースである。入力部１０４は、ユーザの操作などによる各種情報の入力を受け付ける。表示部１０５は、各種情報を表示する。
例えば、図７に示すハードウェア構成図における記憶部１０２、通信インターフェース部１０３、入力部１０４、表示部１０５のそれぞれは、図２に示すソフトウェア構成図における記憶部１３、通信部１１、操作入力部１５、表示部１４と対応する。また、図７に示すハードウェア構成図におけるＣＰＵ１０１は、図２に示すソフトウェア構成図における制御部１２を制御する。
【００４６】
以上に説明したように、本実施形態に係る第１の端末装置１は、通信部１１と、制御部（状態管理部１２５）と、を備える。
通信部１１は、ライセンスバンドとアンライセンスバンドとを含む複数の周波数帯域のうち１つ以上を使用して基地局装置（第１の基地局装置３、及び第２の基地局装置４）と通信する。
制御部（状態管理部１２５）は、第１の端末装置１の通信速度に基づいて通信部１１にアンライセンスバンドを用いずに基地局装置（第１の基地局装置３、及び第２の基地局装置４）と通信させるか否かを制御する。
この構成により、本実施形態に係る第１の端末装置１は、自装置の通信速度に応じて、アンライセンスバンドを用いて通信するか否かを制御することができるため、周波数帯域の利用効率を向上させることができる。
【００４７】
また、本実施形態に係る第１の端末装置１は、記憶部１３をさらに備える。
記憶部１３は、通信に関する設定情報（高速通信判断基準に対応する閾値情報）を記憶する。
制御部（状態管理部１２５）は、設定情報と第１の端末装置１の通信速度との比較結果（ステップＳ２００の判定結果）に基づいて、通信部１１にアンライセンスバンドを用いずに基地局装置（第１の基地局装置３、及び第２の基地局装置４）と通信させるか否かを制御する。
この構成により、自装置の通信速度と閾値との比較結果に応じて、アンライセンスバンドを用いて通信するか否かを制御することができるため、周波数帯域の利用効率を向上させることができる。
【００４８】
（第２の実施形態）
以下、図面を参照しながら本発明の第２の実施形態について詳しく説明する。
第１の実施形態では、第１の端末装置１がアンライセンスバンドを使用した通信をしていない状態において第１の端末装置１の通信速度が高速である場合にＬＡＡ機能を無効にする一例について説明をした。第２の実施形態では、第１の端末装置１が、アンライセンスバンドを使用した通信をしている状態において、第１の端末装置１の通信速度が高速である場合にアンライセンスバンドを使用した通信を切断し、その後にＬＡＡ機能を無効にする一例について説明をする。
【００４９】
図８は、本実施形態に係る第１の端末装置１ａの構成の一例を示す概略ブロック図である。第１の実施形態に係る第１の端末装置１の構成（図２）と第２の実施形態に係る第１の端末装置１ａの構成（図８）とでは、制御部１２ａが異なる。それ以外の構成は、第１の実施形態に係る第１の端末装置１と同様であるため説明を省略し、第２の実施形態では、第１の実施形態と異なる部分を中心に説明する。
【００５０】
制御部１２ａは、通信情報取得部１２１と、速度取得部１２２と、タイマ制御部１２３と、速度判定処理部１２４と、状態管理部１２５ａと、電源制御部１２６ａと、を含んで構成される。
状態管理部１２５ａは、設定判定処理部１２５１ａと、機能判定処理部１２５２と、状態判定処理部１２５３と、を含んで構成される。
【００５１】
設定判定処理部１２５１ａは、速度判定処理部１２４から取得した判定結果に対応するＬＡＡ設定情報を、記憶部１３から読み出す。設定判定処理部１２５１ａは、機能判定処理部１２５２からＬＡＡ機能情報を取得し、状態判定処理部１２５３からアンライセンスバンド情報を取得する。ここで、アンライセンスバンド情報は、第１の端末装置１ａがアンライセンスバンドを使用した通信中であるか否かを示す情報である。
設定判定処理部１２５１ａは、ＬＡＡ設定情報と、ＬＡＡ機能情報と、アンライセンスバンド情報と、に基づいて、ＬＡＡ機能を有効にするか否かを判定する。設定判定処理部１２５１ａは、判定結果に基づいて、電源制御部１２６ａにアンライセンスバンドを使用した通信を切断する信号とＬＡＡ機能を有効にするか否かを示す信号とを出力する。
状態判定処理部１２５３は、設定判定処理部１２５１ａからの要求に応じてアンライセンスバンド情報を生成し、設定判定処理部１２５１ａに出力する。
【００５２】
電源制御部１２６ａは、切断部１２６１を含んで構成される。電源制御部１２６ａは、切断部１２６１を制御する。
電源制御部１２６ａは、設定判定処理部１２５１ａから取得した判定結果に基づいて、第２処理部１１３及び第２ＲＦ部１１４への電力供給を制御する。
切断部１２６１は、設定判定処理部１２５１ａからアンライセンスバンドを使用した通信接続を切断することを示す信号が入力されると、アンライセンスバンドを使用した通信を切断する。
【００５３】
図９は、本実施形態に係る高速通信時の通信制御処理の一例を示すフローチャートである。本フローチャートで示す処理は、第１の端末装置１ａが通信を開始した場合に実行される。
ここで、本実施形態においては、第１の端末装置１ａがアンライセンスバンドを用いて通信している一例について説明する。
なお、ステップＳ３００、ステップＳ３０１、ステップＳ３０２、ステップＳ３０５、ステップＳ３０６、及びステップＳ３０７の各処理は、図６におけるステップＳ２００、ステップＳ２０１、ステップＳ２０３、ステップＳ２０４，ステップＳ２０５の各処理と同様であるため、説明を省略する。
【００５４】
（ステップＳ３０３）  ステップＳ３０２の後に、設定判定処理部１２５１ａは、状態判定処理部１２５３にアンライセンスバンド情報を要求し、状態判定処理部１２５３からアンライセンスバンド情報を取得する。
設定判定処理部１２５１ａは、取得したアンライセンスバンド情報に基づいて、第１の端末装置１ａがアンライセンスバンドを使用した通信中であるか否かを判定する。具体的には、設定判定処理部１２５１ａは、第１の端末装置１ａがアンライセンスバンドを使用した通信中であることを示すアンライセンスバンド情報である場合（ＹＥＳ）、ステップＳ３０４の処理を実行する。一方、設定判定処理部１２５１ａは、第１の端末装置１ａがアンライセンスバンドを使用した通信中でないことを示すアンライセンスバンド情報である場合（ＮＯ）、ステップＳ３０５の処理を実行する。
【００５５】
（ステップＳ３０４）  設定判定処理部１２５１ａは、切断部１２６１に、切断信号を出力する。ここで、切断信号は、アンライセンスバンドを使用した通信を切断することを示す信号である。切断部１２６１は、設定判定処理部１２５１ａから切断信号を取得すると、第２処理部１１３及び第２ＲＦ部１１４によるアンライセンスバンドを使用した通信を切断する。その後、切断部１２６１は、ステップＳ３０５の処理を実行する。
【００５６】
以上に説明したように、本実施形態に係る第１の端末装置１ａは、通信部１１と、制御部（状態管理部１２５ａ）と、記憶部１３と、を備える。
制御部（状態管理部１２５ａ）は、自装置（第１の端末装置１ａ）の通信速度が高速であることを示す比較結果（ステップＳ３００の判定結果）に基づいて、通信部１１にアンライセンスバンドを用いずに基地局装置（第１の基地局装置３及び第２の基地局装置４）と通信させるか否かを制御する。
この構成により、自装置の通信速度と閾値との比較結果に応じて、アンライセンスバンドを用いずに通信するか否かを制御することができるため、周波数帯域の利用効率を向上させることができる。
【００５７】
また、制御部（状態管理部１２５ａ）は、通信部１１がアンライセンスバンドを用いて通信を行っている場合に、第１の端末装置１の通信速度が高速であることを示す比較結果（ステップＳ３００の判定結果）に基づいて、通信部１１にアンライセンスバンドを使用した通信を切断させ、その後にライセンスバンドを使用して基地局装置（第１の基地局装置３及び第２の基地局装置４）と通信させる。
この構成により、アンライセンスバンドを使用して通信しているときに、自装置の通信速度に応じて、アンライセンスバンドを使用した通信を切断し、その後にライセンスバンドを使用して通信することができるため、周波数帯域の利用効率を向上させることができる。
【００５８】
（第３の実施形態）
第２の実施形態では、第１の端末装置１ａがアンライセンスバンドを使用した通信をしている状態において通信速度が高速である場合に、アンライセンスバンドを使用した通信を切断し、その後にライセンスバンドを使用して通信する一例について説明した。第３の実施形態では、第１の端末装置１ｂが、アンライセンスバンドを使用した通信をしていない状態において第１の端末装置１ｂの通信速度が低速である場合に、アンライセンスバンドを使用した通信を開始することでＬＡＡ機能を有効にする場合について説明をする。
【００５９】
図１０は、本実施形態に係る第１の端末装置１ｂの構成の一例を示す概略ブロック図である。第３の実施形態に係る第１の端末装置１ｂ（図１０）は、第１の実施形態に係る第１の端末装置１（図２）と比較すると、制御部１２ｂが異なる。それ以外の構成は、第１の実施形態に係る第１の端末装置１と同様であるため説明を省略し、第３の実施形態では、第１の実施形態と異なる部分を中心に説明する。
【００６０】
制御部１２ｂは、通信情報取得部１２１と、速度取得部１２２と、タイマ制御部１２３と、速度判定処理部１２４ｂと、状態管理部１２５ｂと、電源制御部１２６ｂと、を含んで構成される。
速度判定処理部１２４ｂは、通信情報取得部１２１から閾値情報を取得し、速度取得部１２２から第１の端末装置１ｂの通信速度を取得する。速度判定処理部１２４ｂは、取得した閾値情報と通信速度とに基づいて、通信速度が閾値未満であるか否かを判定する。速度判定処理部１２４ｂは、状態管理部１２５ｂに判定結果を出力する。
【００６１】
状態管理部１２５ｂは、設定判定処理部１２５１ｂと、機能判定処理部１２５２と、状態判定処理部１２５３と、を含んで構成される。
設定判定処理部１２５１ｂは、速度判定処理部１２４ｂから取得した判定結果に対応するＬＡＡ設定情報を記憶部１３ｂから読み出す。設定判定処理部１２５１ｂは、機能判定処理部１２５２からＬＡＡ機能情報を取得し、状態判定処理部１２５３からアンライセンスバンド情報を取得する。
設定判定処理部１２５１ｂは、読み出したＬＡＡ設定情報と、ＬＡＡ機能情報と、アンライセンスバンド情報とに基づいて、ＬＡＡ機能を有効にするか否かを判定する。設定判定処理部１２５１ｂは、判定結果に基づいて、アンライセンスバンドを使用した通信を開始することを示す信号（開始信号ともいう）とＬＡＡ機能を有効にするか否かを示す信号とを電源制御部１２６ｂに出力する。
【００６２】
電源制御部１２６ｂは、開始部１２６１ｂを含んで構成される。電源制御部１２６ｂは、開始部１２６１ｂを制御する。
電源制御部１２６ｂは、設定判定処理部１２５１ｂから取得した判定結果に基づいて、第２処理部１１３及び第２ＲＦ部１１４への電力供給を制御する。
開始部１２６１ｂは、設定判定処理部１２５１ｂから開始信号を受け取り、アンライセンスバンドを使用した通信を開始する。
【００６３】
図１１は、第１の端末装置１ｂに、ユーザが各種情報を設定するための設定画面の一例を示す図である。
設定画面例Ｇ３０−１、Ｇ３０−２、Ｇ３０−３、Ｇ３０−４、Ｇ３０−５のそれぞれは、表示部１４に表示される設定画面例を示す。
【００６４】
設定画面例Ｇ３０−１は、ＬＡＡ機能が無効である状態を示す画面例である。設定画面例Ｇ３０−２は、ＬＡＡ機能が有効である状態を示す画面例である。ボタンｂ３１は、ＬＡＡ機能情報を切り替えるためのボタンである。
ＬＡＡ機能が有効である状態では、設定画面例Ｇ３０−２にボタンｂ３２、フォームｆ３３、ボタンｂ３４が表示される。これらにより、ＬＡＡ機能が有効であるときにユーザによる各種設定を受け付けることができる。
ボタンｂ３２は、ＬＡＡ機能が有効であるときに低速通信時のＬＡＡ設定情報を切り替えるためのボタンである。フォームｆ３３は、ＬＡＡ機能が有効であるときに低速通信判断基準の閾値を設定するためのフォームを表す。ボタンｂ３４は、ＬＡＡ機能が有効であるときに上記の各種設定に応じた操作信号を状態管理部１２５ｂに出力することで、各種設定を有効にするためのボタンである。
設定画面例Ｇ３０−２では、低速通信時のＬＡＡ機能が無効であり、低速通信判断基準の閾値が毎秒０メガ・ビット以下という設定がされている。設定画面例Ｇ３０−３は、低速通信時のＬＡＡ機能が有効であり、低速通信判断基準の閾値として毎秒１０メガ・ビット以下という設定がされている。
設定画面例Ｇ３０−４は、ボタンｂ３４が押下された場合の設定画面例を示す。設定画面例Ｇ３０−４では、各種設定が有効になったことを示すアラートｐ３５が表示される。
アラートｐ３５は、第１の端末装置１ｂのユーザが操作入力部１５から任意の操作を入力すると消える。設定画面例Ｇ３０−５は、設定画面例Ｇ３０−４において、第１の端末装置１ｂのユーザが操作入力部１５から任意の操作を入力した画面の例を示している。
このように、制御部１２ｂは、表示部１４に設定画面例として表示させ、該設定画面例における各ボタン、各フォームに対するユーザの操作、設定を操作入力部１５によって受け付け、該操作、設定に応じた信号に応じて各種情報を生成、更新して記憶部１３に記憶させる。
【００６５】
図１２は、本実施形態に係る低速通信時の通信制御処理の一例を示すフローチャートである。本フローチャートで示す処理は、第１の端末装置１ｂが通信を開始した場合に実行される。
ここで、本実施形態では、第１の端末装置１ｂがライセンスバンドを使用して通信している場合について説明する。
【００６６】
（ステップＳ４００）  速度判定処理部１２４ｂは、速度取得部１２２から入力された通信速度と、記憶部１３の閾値情報テーブルから取得した低速通信判断基準に対応する閾値情報とを比較し、通信速度が閾値未満（通信速度が低速）であるか否かを判定する。
速度判定処理部１２４ｂは、通信速度が閾値未満であると判定した場合（ＹＥＳ）、状態管理部１２５ｂに、低速通信であることを示す判定結果を出力し、ステップＳ４０１の処理を実行する。
一方、速度判定処理部１２４ｂは、通信速度が閾値未満でないと判定した場合（ＮＯ）、状態管理部１２５ｂに低速通信でないことを示す判定結果を出力し、処理を終了する。
【００６７】
（ステップＳ４０１）  設定判定処理部１２５１ｂは、記憶部１３のＬＡＡ設定情報テーブルから低速通信時に対応するＬＡＡ設定情報を読み出し、ＬＡＡ機能を有効にするか否かを判定する。具体的には、設定判定処理部１２５１ｂは、低速通信時にＬＡＡ機能を有効にすることを示すＬＡＡ設定情報である場合（ＹＥＳ）、ステップＳ４０２の処理を実行する。一方、設定判定処理部１２５１ｂは、低速通信時にＬＡＡ機能を有効にすることを示すＬＡＡ設定情報でない場合（ＮＯ）、ステップＳ４０５の処理を実行する。
【００６８】
（ステップＳ４０２）  設定判定処理部１２５１ｂは、機能判定処理部１２５２にＬＡＡ機能情報を要求し、機能判定処理部１２５２からＬＡＡ機能情報を取得する。
設定判定処理部１２５１ｂは、取得したＬＡＡ機能情報に基づき、ＬＡＡ機能が現在無効であるか否かを判定する。具体的には、設定判定処理部１２５１ｂは、ＬＡＡ機能が現在無効であることを示すＬＡＡ機能情報である場合（ＹＥＳ）、ステップＳ４０３の処理を実行する。一方、設定判定処理部１２５１ｂは、ＬＡＡ機能が現在無効でないことを示すＬＡＡ機能情報である場合（ＮＯ）、処理を終了する。
【００６９】
（ステップＳ４０３）  設定判定処理部１２５１ｂは、電源制御部１２６ｂに、開始信号とＬＡＡ機能を有効にすることを示す信号とを出力する。電源制御部１２６ｂは、第２処理部１１３及び第２ＲＦ部１１４への電力供給を開始する。これにより、電源制御部１２６ｂは、アンライセンスバンドを使用した通信を有効にし、ステップＳ４０４の処理を実行する。
【００７０】
（ステップＳ４０４）  開始部１２６１ｂは、設定判定処理部１２５１ｂから入力された開始信号に基づいて、第２処理部１１３及び第２ＲＦ部１１４にアンライセンスバンドを使用した通信を開始させ、処理を終了する。
【００７１】
（ステップＳ４０５）  設定判定処理部１２５１ｂは、機能判定処理部１２５２にＬＡＡ機能情報を要求し、機能判定処理部１２５２からＬＡＡ機能情報を取得する。
設定判定処理部１２５１ｂは、取得したＬＡＡ機能情報に基づいて、ＬＡＡ機能が現在有効であるか否かを判定する。具体的には、設定判定処理部１２５１ｂは、ＬＡＡ機能が現在有効であることを示すＬＡＡ機能情報である場合（ＹＥＳ）、処理をステップＳ４０６の処理を実行する。一方、設定判定処理部１２５１ｂは、ＬＡＡ機能が現在有効でないことを示すＬＡＡ機能情報である場合（ＮＯ）、処理を終了する。
【００７２】
（ステップＳ４０６）  設定判定処理部１２５１ｂは、電源制御部１２６ｂにＬＡＡ機能を無効にすることを示す信号を出力する。電源制御部１２６ｂは、ＬＡＡ機能を無効にすることを示す信号が入力されると第２処理部１１３及び第２ＲＦ部１１４への電力供給を停止する。これにより、電源制御部１２６ｂは、アンライセンスバンドを使用した通信を無効にし、処理を終了する。
【００７３】
以上に説明したように、本実施形態に係る第１の端末装置１ｂは、通信部１１と、制御部（状態管理部１２５ｂ）と、記憶部１３と、を備える。
状態管理部１２５ｂは、自装置（第１の端末装置１ｂ）の通信速度が低速であることを示す比較結果（ステップＳ４００の判定結果）に基づいて、通信部１１にアンライセンスバンドを使用して基地局装置（第１の基地局装置３及び第２の基地局装置４）と通信させるか否かを制御する。
この構成により、自装置の通信速度と閾値との比較結果に応じて、アンライセンスバンドを使用して通信するか否かを制御することができるため、周波数帯域の利用効率を向上させることができる。
【００７４】
（第４の実施形態）
第４の実施形態では、第１の端末装置１ｃが、第２の実施形態における第１の端末装置１ａの構成と第３の実施形態における第１の端末装置１ｂの構成とを備える場合について説明する。なお、第１の端末装置１ｃについての説明は、第１の端末装置１ａ、第１の端末装置１ｂの説明を援用し、記載を省略する。
【００７５】
図１３は、本実施形態に係る高速通信時及び低速通信時の通信制御処理の一例を示すフローチャートである。本フローチャートで示す処理は、第１の端末装置１ｃが通信を開始した場合に実行される。
【００７６】
（ステップＳ５００）  速度判定処理部１２４は、速度取得部１２２から通信速度を取得し、記憶部１３から閾値情報テーブルを読み出して高速通信判断基準に対応する閾値情報を取得する。速度判定処理部１２４は、閾値情報と通信速度とを比較し、通信速度が閾値以上であるか否かを判定する。
速度判定処理部１２４は、通信速度が閾値以上であると判定した場合（ＹＥＳ）、状態管理部１２５に高速通信であることを示す判定結果を出力し、ステップＳ５０２の処理を実行する。
一方、速度判定処理部１２４は、通信速度が閾値以上でないと判定した場合（ＮＯ）、状態管理部１２５に高速通信でないことを示す判定結果を出力し、ステップＳ５０１の処理を実行する。
【００７７】
（ステップＳ５０１）  速度判定処理部１２４は、速度取得部１２２から通信速度を取得し、記憶部１３から閾値情報テーブルを読み出して低速通信判断基準に対応する閾値情報を取得する。速度判定処理部１２４は、閾値情報と通信速度とを比較し、通信速度が閾値未満であるか否かを判定する。
速度判定処理部１２４は、通信速度が閾値未満であると判定した場合（ＹＥＳ）、状態管理部１２５に低速通信であることを示す判定結果を出力し、ステップＳ５０３の処理を実行する。
一方、速度判定処理部１２４は、通信速度が閾値未満でないと判定した場合（ＮＯ）、状態管理部１２５に低速通信でないことを示す判定結果を出力し、処理を終了する。
【００７８】
（ステップＳ５０２、ステップＳ５０３）  ステップＳ５０２の処理は、図９で示したステップＳ３０１からＳ３０７の処理と同様であり、ステップＳ５０３の処理は、図１２で示したステップＳ４０１からＳ４０６の処理と同様であるため説明を省略する。
【００７９】
このような構成により、第２の実施形態、第４の実施形態と同様の効果を得ることができる。また、高速通信時および低速通信時のどちらにおいても自装置の通信速度と閾値との比較結果に応じてアンライセンスバンドと使用した通信するか否かを制御することができる。
【００８０】
（第５の実施形態）
第１の実施形態から第４の実施形態では、第１の端末装置１，１ａ，１ｂ，１ｃが閾値と自装置の通信速度に基づいて、ＬＡＡ機能を有効とするか無効とするかを制御する場合について説明した。第５の実施形態では、ライセンスバンドを使用した通信中に端末装置の通信速度が該端末装置の要求に満たない場合に、基地局装置がアンライセンスバンドを使用した通信を開始させる一例について説明する。
【００８１】
図１４は、本実施形態に係る第１の端末装置１ｄの構成の一例を示す概略ブロック図である。本実施形態に係る第１の端末装置１ｄ（図１４）は、第１の実施形態に係る第１の端末装置１（図２）と比較すると、制御部１２ｄと通信部１１ｄと異なる。それ以外の構成は、第１の実施形態に係る第１の端末装置１と同様であるため説明を省略し、第５の実施形態において異なる部分を中心に説明する。
【００８２】
制御部１２ｄは、通信情報取得部１２１と、速度取得部１２２と、タイマ制御部１２３と、状態管理部１２５ｄと、電源制御部１２６と、を含んで構成される。
状態管理部１２５ｄは、通信情報取得部１２１から閾値を取得し、報告部１１５ｄに出力する。ここで、閾値は、第１の端末装置１ｄが、第１の基地局装置３ｄに要求する通信速度である。
また、状態管理部１２５ｄは、速度取得部１２２から第１の端末装置１ｄの通信速度を取得し、報告部１１５ｄに出力する。
【００８３】
通信部１１ｄは、第１処理部１１１と、第１ＲＦ部１１２と、第２処理部１１３と、第２ＲＦ部１１４と、報告部１１５ｄと、を備える。
報告部１１５ｄは、状態管理部１２５ｄから入力された閾値が入力されると、アンテナＡＮ３を介して第１の基地局装置３ｄに送信し、第１の端末装置１ｄの通信速度が入力されると、アンテナＡＮ３を介して第１の基地局装置３ｄに送信する。
【００８４】
なお、報告部１１５ｄが第１の基地局装置３ｄとの通信に使用するアンテナＡＮ３は、専用アンテナでなく上述したアンテナＡＮ１またはアンテナＡＮ２等のアンテナを使用してもよい。
【００８５】
図１５は、本実施形態に係る第１の基地局装置３ｄの構成の一例を示す概略ブロック図である。本実施形態に係る第１の基地局装置３ｄ（図１５）は、第１の実施形態に係る第１の基地局装置３（図３）と比較すると、制御部３２ｄと、記憶部３３ｄとが異なる。それ以外の構成は、第１の実施形態に係る第１の基地局装置３と同様であるため説明を省略し、第５の実施形態において異なる部分を中心に説明する。
【００８６】
制御部３２ｄは、速度判定処理部３２１と、周波数帯域管理部３２２と、端末管理部３２３と、を含んで構成される。
速度判定処理部３２１は、第１の端末装置１ｄの要求通信速度（希望速度ともいう）と、第１の端末装置１ｄの通信速度と、を受信部３１２から取得する。速度判定処理部３２１は、取得した要求通信速度と、第１の端末装置１ｄの通信速度とに基づいて、第１の端末装置１ｄの通信速度が要求通信速度未満であるか否かを判定する。速度判定処理部３２１は、端末管理部３２３に判定結果を出力する。
【００８７】
周波数帯域管理部３２２は、周波数帯域情報を管理する。ここで、周波数帯域情報は、第１の端末装置１ｄが第１の基地局装置３ｄと第２の基地局装置４とのうち、現在いずれの基地局装置との通信が許可されているかを示す情報である。
【００８８】
端末管理部３２３は、第１の端末装置１ｄとの通信を新たに許可する基地局装置を決定する。具体的には、端末管理部３２３は、速度判定処理部３２１から入力された判定結果と、周波数帯域管理部３２２から入力された周波数帯域情報とに基づいて、第１の端末装置１ｄとの通信を新たに許可する基地局装置を決定する。端末管理部３２３は、決定した基地局装置を示す情報を、送信部３１１を介して第１の端末装置１ｄに送信する。端末管理部３２３は、周波数帯域管理部３２２に決定した基地局装置を示す情報を出力する。
【００８９】
記憶部３３ｄは、周波数帯域情報を周波数帯域情報テーブルとして記憶する。
周波数帯域情報テーブルは、基地局装置を示す識別子と、該基地局装置が第１の端末装置１ｄとの通信が許可されているか否かを示す情報を含む。
【００９０】
図１６は、本実施形態に係る周波数帯域の割り当て処理の一例を示すフローチャートである。本フローチャートで示す処理は、第１の端末装置１ｄが第１の基地局装置３ｄと通信を開始した場合に実行される。
【００９１】
（ステップＳ６００）  受信部３１２は、第１の端末装置１ｄから要求通信速度を受信し、速度判定処理部３２１に出力する。その後、受信部３１２は、ステップＳ６０１の処理を実行する。
なお、受信部３１２は、記憶部３３ｄから要求通信速度を取得してもよい。その場合、速度判定処理部３２１は、受信部３１２から入力された要求通信速度を記憶部３３ｄの要求通信速度テーブルに記憶すればよい。ここで、要求通信速度テーブルは、端末装置を示す識別子と、該端末装置に対応する要求通信速度の情報が含まれればよい。
【００９２】
（ステップＳ６０１）  速度判定処理部３２１は、取得した要求通信速度と、第１の端末装置１ｄの通信速度とを比較し、第１の端末装置１ｄの通信速度が要求通信速度未満であるか否かを判定する。速度判定処理部３２１は、第１の端末装置１ｄの通信速度が要求通信速度未満であると判定した場合（ＹＥＳ）、端末管理部３２３に判定結果を出力し、ステップＳ６０２の処理を実行する。一方、速度判定処理部３２１は、第１の端末装置１ｄの通信速度が要求通信速度未満でないと判定した場合（ＮＯ）、処理を終了する。
なお、速度判定処理部３２１は、第１の端末装置１ｄの通信速度が要求通信速度未満であるか否かを判定する代わりに、第１の基地局装置３ｄが第１の端末装置１ｄに割り当てる通信速度が要求通信速度未満であるか否かを判定してもよい。この場合、第１の基地局装置３ｄは、第１の端末装置１ｄから通信速度を受信する必要はない。
【００９３】
（ステップＳ６０２）  周波数帯域管理部３２２は、記憶部１３から読み出した周波数帯域情報に基づいて、第１の端末装置１ｄが現在、第１の基地局装置３ｄと第２の基地局装置４とのうちのいずれの基地局装置との通信が許可されているかを確認する。これにより、端末管理部３２３は、現在使用していないライセンスバンドがあるか否かを判定する。端末管理部３２３は、現在使用していないライセンスバンドがあると判定した場合（ＹＥＳ）、ステップＳ６０３の処理を実行する。一方、端末管理部３２３は、現在使用していないライセンスバンドがないと判定した場合（ＮＯ）、ステップＳ６０４の処理を実行する。
【００９４】
（ステップＳ６０３）  端末管理部３２３は、速度判定処理部３２１から入力された判定結果と、周波数帯域管理部３２２から入力された周波数帯域情報とに基づいて、第１の端末装置１ｄとの通信を新たに許可する基地局装置を、複数の第１の基地局装置３ｄの中から決定する。端末管理部３２３は、決定した基地局装置を示す情報を、送信部３１１を介して第１の端末装置１ｄに送信する。これにより、端末管理部３２３は、ライセンスバンドを第１の基地局装置３ｄに割り当てる。
また、端末管理部３２３は、周波数帯域管理部３２２に基地局装置を示す情報を出力する。周波数帯域管理部３２２は、端末管理部３２３から入力された基地局装置を示す情報に基づいて、記憶部３３ｄが記憶する周波数帯域情報テーブルを更新し、ステップＳ６０１の処理を繰り返す。
【００９５】
（ステップＳ６０４）  端末管理部３２３は、速度判定処理部３２１から入力された判定結果と、周波数帯域管理部３２２から入力された周波数帯域情報とに基づいて、第１の端末装置１ｄとの通信が新たに許可する基地局装置を、複数の第２の基地局装置４の中から決定する。端末管理部３２３は、基地局装置を示す情報を、送信部３１１を介して第１の端末装置１ｄに送信する。これにより、端末管理部３２３は、アンライセンスバンドを第１の基地局装置３ｄに割り当てる。
その後、端末管理部３２３は、ステップＳ６０１の処理を繰り返す。
【００９６】
以上に説明したように、本実施形態に係る第１の基地局装置３ｄは、通信部１１と、制御部（端末管理部３２３）と、を備える。
通信部３１は、ライセンスバンドとアンライセンスバンドとを含む複数の周波数帯域のうち１つ以上を使用して端末装置（第１の端末装置１ｄ）と通信を行う。
端末管理部３２３は、端末装置（第１の端末装置１ｄ）との通信速度に基づいて、第１の端末装置１ｄがライセンスバンドをアンライセンスバンドより優先的に使用して通信を行うように制御するための制御情報（第１の端末装置１ｄとの通信を新たに許可する基地局装置を示す情報）を生成する。また、端末管理部３２３は、通信部３１を介して制御情報を端末装置（第１の端末装置１ｄ）に送信する。
この構成により、第１の端末装置１ｄの通信速度に応じて、第１の端末装置１ｄに割り当てる周波数帯域を制御することができるため、アンライセンスバンドを用いて通信接続をする必要がない場合に、第１の端末装置１ｄに割り当てる周波数帯域を有効に使用することができる。
【００９７】
なお、第５の実施形態では、第１の基地局装置３ｄにおいて制御情報を生成する場合について説明したが、第５の実施形態で説明した内容を第１の端末装置１ｄにおいて実行してもよい。この場合、状態管理部１２５ｄが、端末管理部３２３の処理を実行し、記憶部１３が周波数帯域情報を周波数帯域情報テーブルとして記憶すればよい。
また、状態管理部１２５ｄは、速度取得部１２２から入力された第１の端末装置１ｄの通信速度と、速度取得部１２２から入力された閾値とを比較し、通信速度が閾値未満であるか否かを判定し、状態管理部１２５ｄは、通信速度が閾値未満であると判定した場合、記憶部１３から周波数帯域情報を読み出せばよい。これにより、状態管理部１２５ｄは、現在使用していないライセンスバンドがあるか否かを判定可能となる。
また、状態管理部１２５ｄは、現在使用していないライセンスバンドがあると判定した場合、第１の基地局装置３ｄの中から、新たに通信接続する基地局装置を決定し、新たな通信要求を示す信号を、通信部１１を介して決定した第１の基地局装置３ｄに送信すればよい。
さらに、状態管理部１２５ｄは、現在使用していないライセンスバンドがないと判定した場合、第２の基地局装置４の中から新たに通信する基地局装置を決定し、新たな通信要求を示す信号を、通信部１１を介して決定した第２の基地局装置４に送信すればよい。
【００９８】
このように、制御部（状態管理部１２５ｄ）は、第１の端末装置１ｄの通信速度が低速であることを示す比較結果（通信速度が閾値未満であるか否かに基づいて、ライセンスバンドをアンライセンスバンドより優先的に使用して第１の基地局装置３ｄと通信を行うように通信部１１ｄを制御する。
これにより、自装置の通信速度に応じて、ライセンスバンドをアンライセンスバンドより優先的に使用して通信することができるため、アンライセンスバンドを用いて通信する必要がない場合に、周波数帯域を有効に使用することができる。
【００９９】
なお、上述した各実施形態において、第１の端末装置１、１ａ、１ｂ、１ｃ、１ｄがＬＴＥ通信を使用する場合の一例を説明したが、ＬＴＥ−Ａ（Ｌｏｎｇ  Ｔｅｒｍ  Ｅｖｏｌｕｔｉｏｎ  Ａｄｖａｎｃｅｄ）通信を使用してもよいし、その他の各種通信技術（通信規格）を使用してもよい。
また、上述した各実施形態において、アンライセンスバンドを使用した通信を有効にする方法は、電力供給を開始（再開）させる方法以外の方法であってもよい。例えば、アンライセンスバンドを使用した通信を有効にする方法としてソフトウェア制御を使用することにより、アンライセンスバンドを使用した通信を有効にしてもよい。
また、アンライセンスバンドを使用した通信を無効にする方法は、電力供給を停止させる方法以外の方法であってもよい。例えば、アンライセンスバンドを使用した通信を無効にする方法としてソフトウェア制御を使用することにより、アンライセンスバンドを使用した通信を無効にしてもよい。
【０１００】
なお、上述した各実施形態における第１の端末装置１、１ａ、１ｂ、１ｃ、１ｄの一部、例えば、制御部１２、１２ａ、１２ｂ、１２ｄをコンピュータで実現するようにしても良い。また、上述した各実施形態における第１の基地局装置３、３ｄの一部、例えば、制御部３２、３２ｄをコンピュータで実現するようにしても良い。それらの場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、第１の端末装置１、１ａ、１ｂ、１ｃ、１ｄ、第１の基地局装置３、３ｄに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における第１の端末装置１、１ａ、１ｂ、１ｃ、１ｄ、第１の基地局装置３、３ｄの一部、または全部を、ＬＳＩ（Ｌａｒｇｅ  Ｓｃａｌｅ  Ｉｎｔｅｇｒａｔｉｏｎ）等の集積回路として実現しても良い。第１の端末装置１、１ａ、１ｂ、１ｃ、１ｄ、第１の基地局装置３、３ｄの各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【０１０１】
以上、図面を参照してこの発明の各実施形態、各変形例について詳しく説明してきたが、具体的な構成は上述のものに限られることはなく、この発明の要旨を逸脱しない範囲内において様々な設計変更等をすることが可能である。
【符号の説明】
【０１０２】
１００…通信システム、１、１ａ、１ｂ、１ｄ…第１の端末装置、２…第２の端末装置、３−１、３−２、３−３…第１の基地局装置、４−１、４−２…第２の基地局装置、５…無線アクセスポイント、Ｃ１−１、Ｃ１−２、Ｃ２…セル、１１、１１ｄ、３１…通信部、１１１…第１処理部、１１２…第１ＲＦ部、１１３…第２処理部、１１４…第２ＲＦ部、１１５ｄ…報告部、ＡＮ１、ＡＮ２、ＡＮ３…アンテナ、３１１…送信部、３１２…受信部、１２、１２ａ、１２ｂ、１２ｄ、３２、３２ｄ…制御部、１２１…通信情報取得部、１２２…速度取得部、１２３…タイマ制御部、１２４、１２４ｂ、３２１…速度判定処理部、１２５、１２５ａ、１２５ｂ、１２５ｄ…状態管理部、１２５１、１２５１ａ…設定判定処理部、１２５２…機能判定処理部、１２６、１２６ａ、１２６ｂ…電源制御部、１２６１…切断部、１２６１ｂ…開始部、３２２…周波数帯域管理部、３２３…端末管理部、１３、３３ｄ、１０２…記憶部、１４、１０５…表示部、１５…操作入力部、１０１…ＣＰＵ、１０３…通信インターフェース部、１０４…入力部
【図１】
2018098541.tif 000003
【図２】
2018098541.tif 000004
【図３】
2018098541.tif 000005
【図４】
2018098541.tif 000006
【図５】
2018098541.tif 000007
【図６】
2018098541.tif 000008
【図７】
2018098541.tif 000009
【図８】
2018098541.tif 000010
【図９】
2018098541.tif 000011
【図１０】
2018098541.tif 000012
【図１１】
2018098541.tif 000013
【図１２】
2018098541.tif 000014
【図１３】
2018098541.tif 000015
【図１４】
2018098541.tif 000016
【図１５】
2018098541.tif 000017
【図１６】
2018098541.tif 000018